(57)【要約】  移動局（２０）は、受信ＲＦ部（２１）と、多重信号分離部（２３）と、測定部（２４）と、送信ＲＦ部（２９）とを有する。受信ＲＦ部（２１）は、基地局と移動局（２０）との間の無線チャネル特性の測定の指示を移動局（２０）に通知するための制御情報を、上記基地局から受信する。多重信号分離部（２３）は、上記基地局から移動局（２０）に向かう無線ダウンリンクにおいて、受信ＲＦ部（２１）により受信された制御情報が含まれるチャネル領域に応じて、上記無線チャネル特性の測定対象となるチャネル領域を決定する。測定部（２４）は、多重信号分離部（２３）により決定されたチャネル領域を対象として、上記無線チャネル特性の測定を行う。送信ＲＦ部（２９）は、測定部（２４）による測定結果を、上記基地局に送信する。
2014188522.tif 000002
【特許請求の範囲】
【請求項１】
第１の通信装置と第２の通信装置との間の無線チャネル特性の測定の指示を前記第２の通信装置に通知するための第１の制御情報を、前記第１の通信装置から受信する受信手段と、
前記第１の通信装置から前記第２の通信装置に向かう無線リンクにおいて、前記受信手段により受信された前記第１の制御情報が含まれるチャネル領域に応じて、前記無線チャネル特性の測定対象となるチャネル領域を決定する決定手段と、
前記決定手段により決定されたチャネル領域を対象として、前記無線チャネル特性の測定を行う測定手段と、
前記測定手段による測定結果を、前記第１の通信装置に送信する送信手段と
を有することを特徴とする通信装置。
【請求項２】
前記決定手段は、前記第１の制御情報が、前記チャネル領域の内、第１のチャネル領域に含まれる場合には、該第１のチャネル領域を、前記無線チャネル特性の測定対象となるチャネル領域に決定すると共に、前記第１の制御情報が、前記第１のチャネル領域よりも帯域幅の狭い周波数領域である第２のチャネル領域に含まれる場合には、該第２のチャネル領域を、前記無線チャネル特性の測定対象となるチャネル領域に決定することを特徴とする請求項１に記載の通信装置。
【請求項３】
前記無線チャネル特性は、前記決定手段により決定されたチャネル領域を対象として測定されるＣＱＩ（Channel  Quality  Indicator）の平均値であることを特徴とする請求項２に記載の通信装置。
【請求項４】
前記無線チャネル特性は、前記決定手段により決定されたチャネル領域を対象として測定されるＰＭＩ（Precoding  Matrix  Indicator）の平均値であることを特徴とする請求項２に記載の通信装置。
【請求項５】
前記無線チャネル特性は、前記決定手段により決定されたチャネル領域を対象として測定されるＣＱＩ（Channel  Quality  Indicator）の平均値とＰＭＩ（Precoding  Matrix  Indicator）の平均値であることを特徴とする請求項２に記載の通信装置。
【請求項６】
前記無線チャネル特性は、前記第１の制御情報とは異なる第２の制御情報を通じて前記第１の通信装置から前記第２の通信装置に通知されたチャネルに対する前記第２の通信装置による測定の結果から得られることを特徴とする請求項１に記載の通信装置。
【請求項７】
前記第２の制御情報は、前記第１の制御情報よりも時間的に先に、前記第１の通信装置から前記第２の通信装置に送信されることを特徴とする請求項６に記載の通信装置。
【請求項８】
前記第１の通信装置は無線基地局であり、前記第２の通信装置は無線移動局であることを特徴とする請求項１〜３の何れか一項に記載の通信装置。
【請求項９】
前記第１の制御情報は、ＰＤＣＣＨ（Physical  Downlink  Control  CHannel）またはＥＰＤＣＣＨ（Enhanced  Physical  Downlink  Control  CHannel）を用いて、前記第１の通信装置から前記第２の通信装置に送信されることを特徴とする請求項１に記載の通信装置。
【請求項１０】
前記第２の制御情報は、ＰＤＳＣＨ（Physical  Downlink  Shared  CHannel）を用いて、前記第１の通信装置から前記第２の通信装置に送信されることを特徴とする請求項６に記載の通信装置。
【請求項１１】
第１の通信装置と第２の通信装置との間の無線チャネル特性の測定を前記第２の通信装置に指示するための制御情報を、前記無線チャネル特性の測定対象となるチャネル領域を介して、前記第２の通信装置に送信する送信手段と、
前記第１の通信装置から前記第２の通信装置に向かう無線ダウンリンクにおいて、前記送信手段により送信された制御情報が含まれるチャネル領域を対象として測定された前記無線チャネル特性の測定結果を、前記第２の通信装置から受信する受信手段と
を有することを特徴とする通信装置。
【請求項１２】
前記第１の通信装置は無線基地局であり、前記第２の通信装置は無線移動局であることを特徴とする請求項１１に記載の通信装置。
【請求項１３】
前記制御情報は、ＰＤＣＣＨ（Physical  Downlink  Control  CHannel）またはＥＰＤＣＣＨ（Enhanced  Physical  Downlink  Control  CHannel）を用いて、前記第１の通信装置から前記第２の通信装置に送信されることを特徴とする請求項１１に記載の通信装置。
【請求項１４】
前記制御情報は、ＰＤＣＣＨ（Physical  Downlink  Control  CHannel）またはＥＰＤＣＣＨ（Enhanced  Physical  Downlink  Control  CHannel）の中のＤＣＩ（Downlink  Control  Information）formatの中のＣＳＩ（Channel  State  Information)request  fieldに入れられることを特徴とする請求項１１に記載の通信装置。
【請求項１５】
第２の通信装置が、
第１の通信装置と前記第２の通信装置との間の無線チャネル特性の測定を前記第２の通信装置に指示するための制御情報を、前記第１の通信装置から受信し、
前記第１の通信装置から前記第２の通信装置に向かう無線ダウンリンクにおいて、受信された制御情報が含まれるチャネル領域に応じて、前記無線チャネル特性の測定対象となるチャネル領域を決定し、
決定されたチャネル領域を対象として、前記無線チャネル特性の測定を行い、
該測定の結果を、前記第１の通信装置に送信する
ことを特徴とする通信制御方法。
【請求項１６】
前記第１の通信装置は無線基地局であり、前記第２の通信装置は無線移動局であることを特徴とする請求項１５に記載の通信制御方法。
【発明の詳細な説明】
【技術分野】
【０００１】
本発明は、通信装置、及び通信制御方法に関する。
【背景技術】
【０００２】
標準化団体の一つである３ＧＰＰで仕様が策定され更に機能が拡張され続けているＬＴＥ（Long  Term  Evolution）の無線区間では、基地局（ｅＮＢ：eNodeB）から移動局（ＵＥ：User  Equipment）に向かうＤＬ（Down  Link）無線送信において、送信形態の異なる２種類のレイヤ１制御チャネルが用いられている。２種類のレイヤ１制御チャネルは、ＰＤＣＣＨ（Physical  Downlink  Control  CHannel）とＥＰＤＣＣＨ（Enhanced  Physical  Downlink  Control  CHannel）とであり、基地局は、ＤＬやＵＬ(Uplink)データのスケジューリング、複数の移動局のUL送信電力の一括制御、ULランダムアクセス信号の送信指示等の制御目的の種類に応じ、データ送信に使用される無線リソース情報、送信されるデータに適用される符号化率や送信電力等に関する情報、ＨＡＲＱ送信に関連する情報などの各種制御情報をPDCCHあるいはEPDCCHに入れて、移動局宛に送信する。【０００３】
制御チャネルは、時間と周波数とから形成されるが、特に、ＰＤＣＣＨは、例えば１ｍｓ長のDL無線サブフレームの先頭部分において、周波数方向の全帯域幅（例えば、２０ＭＨｚ）に跨る様に配置される。DL無線サブフレームの先頭部分には、複数の移動局に対する複数のPDCCHを配置することが可能である。この先頭部分で複数のPDCCHが送信される時、複数のPDCCHは織り交ぜられるように配置され、かつ、各PDCCHは周波数方向の全帯域幅に跨るように配置される。各移動局は、共通reference信号(CRS：cell-specific  reference  signal)を用いて、各DL無線サブフレームで受信したＰＤＣＣＨを復調・復号し、そのDL無線サブフレームの先頭部分の領域に自局宛てのPDCCHが存在するかどうかを調べる。自局宛てのPDCCHが存在することがわかった場合は、そのPDCCHを通じて送信される制御情報の内容を取り出す。また、上記DL無線サブフレームの有する領域の内、ＰＤＣＣＨが配置される領域以外の領域には、基地局から移動局へのデータ送信に使用されるＰＤＳＣＨ（Physical  Downlink  Shared  CHannel）の他、上記ＥＰＤＣＣＨが配置される。１個のEPDCCHは、前記PDCCHとは異なり、通常、周波数方向の全帯域幅に跨るように配置されず、全帯域幅の中に設定される複数の狭帯域部の中の一つの狭帯域部に集中的に配置されるか、複数の狭帯域部の間に跨るように配置される。このＥＰＤＣＣＨが配置される周波数領域の位置は、各移動局ごとに設定可能である。【０００４】
ＥＰＤＣＣＨは、上記ＰＤＣＣＨと同様の目的で使用されるが、無線伝送方式が異なる。例えば、移動局は、上述した様に、ＰＤＣＣＨの復調に際し、共通reference信号を用いるのに対し、ＥＰＤＣＣＨの復調には、個別reference信号(DM  RS：UE-specific  reference  signal)を用いる。PDCCHには各移動局固有のビームフォーミング等の処理を行わないのに対し、EPDCCHには各移動局固有のビームフォーミング等の処理を行うことが可能である。前述したように、EPDCCHを送信するために使用する周波数領域は各移動局ごとに設定することが可能であるが、通常、各移動局から報告されるDL無線測定結果を元に基地局は設定する位置を決める。複数の移動局の間で設定される位置が重なることも可能である。各移動局のDL無線特性に応じ、各移動局に送信されるPDCCHの符号化率や送信電力を変えることは可能ではあるが、EPDCCHの場合、更に移動局ごとに各移動局固有のビームフォーミングを行うことも可能であるため、各移動局の無線特性を更に考慮した送信を行うことが、EPDCCHの場合可能である。
【先行技術文献】
【非特許文献】
【０００５】
【非特許文献１】3GPP  TR36.211  V11.2.0(2013-02)
【非特許文献２】3GPP  TS36.212  V11.2.0(2013-02)
【非特許文献３】3GPP  TS36.213  V11.2.0(2013-02)
【非特許文献４】3GPP  TS36.331  V11.3.0(2013-03)
【発明の概要】
【発明が解決しようとする課題】
【０００６】
基地局は、主に、各移動局から基地局に報告されるWideband  ＣＱＩ（Channel  Quality  Indicator、以下、単に「ＣＱＩ」と記す。）を基に、各移動局に対して送信するＰＤＣＣＨの送信制御（ＰＤＣＣＨに適用される符号化率や送信電力の決定）を行う。ところが、基地局が、ＰＤＣＣＨに対して行う送信制御と同様の方法を、ＥＰＤＣＣＨに対して行う送信制御に適用すると、ＥＰＤＣＣＨの無線伝送特性が過剰品質となり、無線リソースが過剰に消費されてしまう。なぜなら、ＰＤＣＣＨのＣＱＩは、広帯域を対象としたＣＱＩ測定結果の平均値であるため、低目の数値となる。これに対し、ＥＰＤＣＣＨは、狭帯域の周波数領域で送信され、かつ、通常、各移動局にとって良好な特性が得られる周波数領域にＥＰＤＣＣＨ送信領域を設定するものであることから、通常、ＰＤＣＣＨのＣＱＩよりも高い数値となる。このため、ＥＰＤＣＣＨは、必要と思われる送信電力よりも高めの電力で送信されたり、必要と思われる符号化率よりも小さい符号化率が適用されて送信されてしまう可能性が生じる。結果として、無線リソースが必要以上に消費される。この無線リソースの浪費を解決し、すなわち、ＥＰＤＣＣＨを送信するのに使用される無線リソースの量の適正化を図れば、EPDCCH送信のために必要以上の無線リソースが割り当てられるのが避けられ、各DL無線サブフレームで送信するPDSCHのための無線リソース量を増やすことが可能となり、より多くのデータを移動局に送信することが可能となる。【０００７】
かかる問題点を解消するため、ＤＬ無線周波数全帯域を複数のサブバンドに分割すると共に、移動局が、該分割により得られた全てのサブバンドにおけるＣＱＩ測定結果を基地局に送信することが有効である。このような測定結果の送信方法はＬＴＥの仕様で既に規定されている。しかしながら、この様な方法では、基地局に送信報告されるＣＱＩのサイズが、従前の４ビットから、５０ビット以上に増加してしまう。ＥＰＤＣＣＨが送信される領域のＣＱＩを基地局に報告する目的に対し、消費される無線リソースが過大になる。ＥＰＤＣＣＨが送信される領域が狭帯域であるため、特に、移動局が移動する場合、ＥＰＤＣＣＨ領域のＣＱＩの値が比較的短時間で変動する。この変動に対応するには、移動局から基地局へのＣＱＩ送信報告の頻度を高くすればよいのだが、消費されるビットサイズが大きいと、頻度を高くすることが難しくなる。【０００８】
ＥＰＤＣＣＨが送信される領域を新たなサブバンドの一つと定義し、ＬＴＥの仕様変更により、移動局が、基地局に送信するＣＱＩ測定結果の中に、ＥＰＤＣＣＨが送信されるサブバンドに対して無線測定を行った結果の平均値のＣＱＩを含める方法もある。しかしながら、かかる方法によっても、移動局は、ＰＤＣＣＨのＣＱＩとＥＰＤＣＣＨのＣＱＩとの双方を基地局宛に送信することとなるため、送信データ量が増加する。この様な問題点を回避するため、ＰＤＣＣＨのためのＣＱＩかＥＰＤＣＣＨのためのＣＱＩかを選択し、１回の報告ではいずれか一つを基地局に送信できるようにすることが一つの有効な解決方法と考えられる。しかしながら、どちらを基地局に送信するかを基地局が移動局に指示するにあたり、指示内容を移動局に通知する必要があり、移動局に通知する制御情報の量が増加してしまう。その結果、無線リソースが浪費される。【０００９】
開示の技術は、上記に鑑みてなされたものであって、無線リソースの消費量を増加させることなく、制御チャネルの無線伝送特性を向上させることができる通信装置、及び通信制御方法を提供することを目的とする。
【課題を解決するための手段】
【００１０】
上述した課題を解決し、目的を達成するために、本願の開示する通信装置は、一つの態様において、受信手段と決定手段と測定手段と送信手段とを有する。前記受信手段は、第１の通信装置と第２の通信装置との間の無線チャネル特性の測定の指示を前記第２の通信装置に通知するための第１の制御情報を、前記第１の通信装置から受信する。前記決定手段は、前記第１の通信装置から前記第２の通信装置に向かう無線リンクにおいて、前記受信手段により受信された前記第１の制御情報が含まれるチャネル領域に応じて、前記無線チャネル特性の測定対象となるチャネル領域を決定する。前記測定手段は、前記決定手段により決定されたチャネル領域を対象として、前記無線チャネル特性の測定を行う。前記送信手段は、前記測定手段による測定結果を、前記第１の通信装置に送信する。
【発明の効果】
【００１１】
本願の開示する通信装置の一つの態様によれば、無線リソースの消費量を増加させることなく、制御チャネルの無線伝送特性を向上させることができる。
【図面の簡単な説明】
【００１２】
【図１】図１は、基地局の機能的構成を示すブロック図である。
【図２】図２は、移動局の機能的構成を示すブロック図である。
【図３】図３は、基地局のハードウェア構成を示すブロック図である。
【図４】図４は、移動局のハードウェア構成を示すブロック図である。
【図５】図５は、基地局の動作を説明するためのフローチャートである。
【図６】図６は、移動局の動作を説明するためのフローチャートである。
【図７】図７は、平均ＣＱＩの測定対象となるダウンリンク無線チャネルの構成例を示す図である。
【発明を実施するための形態】
【００１３】
以下に、本願の開示する通信装置、及び通信制御方法の実施例を、図面を参照しながら詳細に説明する。なお、以下の実施例により本願の開示する通信装置、及び通信制御方法が限定されるものではない。
【００１４】
まず、本願の開示する一実施例に係る基地局の構成を説明する。図１は、基地局１０の機能的構成を示すブロック図である。図１に示す様に、基地局１０は、特性評価部１１と制御信号生成部１２と変調部１３と時間多重部１４と送信ＲＦ（Radio  Frequency）部１５と制御信号生成部１６と変調部１７と周波数多重部１８とを有する。基地局１０は、データ信号生成部１９と変調部１１０と受信ＲＦ部１１１と復調復号部１１２と多重信号分離部１１３とを有する。これら各構成部分は、一方向又は双方向に、信号やデータの入出力が可能な様に接続されている。
【００１５】
特性評価部１１は、例えば、移動局２０から送信される測定結果報告等を元に基地局１０が移動局２０に対して測定を指示するための制御情報を生成する。制御信号生成部１２は、特性評価部１１から入力された上記制御情報を元に、ＰＤＣＣＨにより送信されるＬ（Layer）１制御情報を生成する。変調部１３は、ＰＤＣＣＨで送信される制御情報信号を変調する。時間多重部１４は、変調後のＰＤＣＣＨを、ＰＤＳＣＨとの間で時間多重する。送信ＲＦ部１５は、デジタル-アナログ信号変換、ＩＦ−ＲＦ周波数変換、信号電力増幅等を行う。規定の出力値まで電力増幅された信号は、アンテナＡ１から放射される。
【００１６】
制御信号生成部１６は、特性評価部１１から入力された上記制御情報を基に、ＥＰＤＣＣＨにより送信されるＬ１制御情報を生成する。変調部１７は、ＥＰＤＣＣＨで送信される制御情報信号を変調する。周波数多重部１８は、変調後のＥＰＤＣＣＨを、ＰＤＳＣＨとの間で周波数多重する。データ信号生成部１９は、ユーザデータから、ＰＤＳＣＨにより送信されるデータ信号を生成する。変調部１１０は、ＰＤＳＣＨで送信されるデータ信号を変調する。基地局１０が移動局２０に対して測定を指示するための制御信号は、ＰＤＣＣＨあるいはＥＰＤＣＣＨを通じて行い、これらＰＤＣＣＨあるいはＥＰＤＣＣＨに対してはＰＤＳＣＨを付随させる必要はない。しかし、測定を指示する制御信号をＰＤＳＣＨを用いて移動局に送信することも可能であり、この場合は、この目的で送信されるＰＤＳＣＨにＰＤＣＣＨあるいはＥＰＤＣＣＨを付随させ、このＰＤＳＣＨ送信に関わるスケジューリング情報（ＰＤＳＣＨ送信に使用される無線リソースやＰＤＳＣＨに適用されている変調方式・符号化率等の無線パラメータ等）をこれらのＰＤＣＣＨあるいはＥＰＤＣＣＨを通じて基地局に通知する。更には、このＰＤＳＣＨの中に測定指示を行う目的の制御情報が含まれていることを示す情報を、例えば１〜２ビット長のフラグのような形で、ＰＤＳＣＨに付随させるＰＤＣＣＨあるいはＥＰＤＣＣＨの中に入れてもよい。
【００１７】
受信ＲＦ部１１１は、移動局２０から送信される無線信号を受信し、ＲＦ−ＩＦ周波数変換、アナログ-デジタル信号変換等を行う。復調復号部１１２は、受信ＲＦ部１１１により出力される信号を復調及び復号する。多重信号分離部１１３は、ＰＵＳＣＨの中に多重されている制御情報を分離する。分離後、ＰＵＳＣＨの中に制御情報として無線測定結果報告が含まれている場合、特性評価部１１に出力する。無線測定結果はＰＵＣＣＨを用いて送信されるのも可能であり、この場合、ＰＵＣＣＨを用いて送信された無線測定結果を特性評価部１１に出力する。
【００１８】
特性評価部１１は、上記測定結果を基に、移動局２０の最新の無線ダウンリンク特性を把握し、移動局２０宛に送信される無線チャネル及び無線信号に適用されるパラメータを適宜変更する。該パラメータは、例えば、符号化率、変調方式、周波数位置、空間多重数（ランク数、レイヤ数）、空間符号化ベクトル等である。
【００１９】
次に、本願の開示する一実施例に係る移動局（ＵＥ）の構成を説明する。図２は、移動局２０の機能的構成を示すブロック図である。図２に示す様に、移動局２０は、受信ＲＦ部２１と、復調復号部２２と、多重信号分離部２３と、測定部２４と、測定結果生成部２５と、データ信号生成部２６と、変調部２７と、時間多重部２８と、送信ＲＦ部２９とを有する。これら各構成部分は、一方向又は双方向に、信号やデータの入出力が可能な様に接続されている。
【００２０】
受信ＲＦ部２１は、基地局１０から送信された上記制御情報を受信する。ＰＵＳＣＨ送信に使用されるアップリンク無線リソースは、ＰＤＣＣＨ送信またはＥＰＤＣＣＨ送信に使用されたダウンリンクサブフレームからｎサブフレーム後（ｎは自然数、例えばｎ＝４）のアップリンクサブフレーム上の周波数部分に確保される。復調復号部２２は、ＰＤＣＣＨまたはＥＰＤＣＣＨ、ＰＤＳＣＨ等に対する復号処理を実行し、該ＰＤＣＣＨまたはＥＰＤＣＣＨから、上記制御情報を取得する。ＰＤＳＣＨに制御情報が含まれる場合は、ＰＤＳＣＨから取得する。多重信号分離部２３は、基地局１０から受信された上記制御情報の中に、上記測定を指示するための制御情報が含まれるか否かの判定を行い、該制御情報が含まれる場合には、測定部２４に対し、該制御情報を出力する。
【００２１】
測定部２４は、多重信号分離部２３から上記制御情報の入力を受けると、該制御情報の示す指示に従い、ＰＤＣＣＨ送信領域またはＥＰＤＣＣＨ送信領域を対象としたチャネル特性（例えば、ＣＱＩ、ＰＭＩ）の測定結果の生成を行う。移動局２０は、測定を指示する制御信号をいかなるＤＬサブフレームで受信しても即対応できるように、各ＤＬ無線サブフレームに対する測定を連続して行う。そのため、測定を指示する制御信号を受け取った時、最新の測定結果をすぐ測定結果生成部２５に出力することが可能である。測定結果生成部２５は、測定部２４からの測定結果を元に、該測定結果を含む信号を生成する。データ信号生成部２６は、該測定結果を含む信号と、制御情報と、ユーザデータとから、多重ビット列の符号化処理等により、データ信号を生成する。変調部２７は、生成された上記データ信号を変調し、ＰＵＳＣＨを生成する。測定結果をＰＵＳＣＨではなくＰＵＣＣＨを用いて送信することも可能である。この場合、測定結果の報告には常にＰＵＣＣＨを使用するということが事前に基地局から通知されているか、測定指示を行うのに用いるＰＤＣＣＨあるいはＥＰＤＣＣＨの中に明示的にあるいは暗示的にＰＵＣＣＨを使用して測定結果の報告を行う指示が示される。
【００２２】
時間多重部２８は、上記測定結果を含む変調後のデータ信号を、参照信号と時間多重した後、多重化されたデータ信号に対し、ＦＦＴ（Fast  Fourier  Transform）とＩＦＦＴ(Inverse  FFT)処理を実行することで、ＤＦＴ−Ｓ−ＯＦＤＭ信号（あるいはＳＣ−ＦＤＭＡ信号）を生成する。送信ＲＦ部２９は、該信号を、アナログ信号に変換した後、ＲＦ周波数帯域まで周波数変換し、所定のパワーレベルまで増幅する。また、送信ＲＦ部２９は、増幅された信号を、送信アンテナＡ４を介して基地局１０宛に送信する。
【００２３】
この様に、移動局２０は、常に、無線ダウンリンクに対するチャネル特性の測定を行い、該測定を指示するための制御情報を受信した際には、上記アップリンクサブフレーム上の指定された無線リソースを用いて、測定結果を基地局１０に送信する。
【００２４】
図３は、基地局１０のハードウェア構成を示すブロック図である。図３に示す様に、基地局１０は、ハードウェアの構成要素として、ＤＳＰ（Digital  Signal  Processor）１０ａと、ＦＰＧＡ（Field  Programmable  Gate  Array）１０ｂと、メモリ１０ｃと、ＲＦ（Radio  Frequency）回路１０ｄと、ネットワークＩＦ（Inter  Face）部１０ｅとを有する。ＤＳＰ１０ａとＦＰＧＡ１０ｂとは、スイッチ等のネットワークＩＦ部１０ｅを介して、各種信号やデータの入出力が可能な様に接続されている。ＲＦ回路１０ｄは、アンテナＡ１、Ａ２を有する。メモリ１０ｃは、例えば、ＳＤＲＡＭ（Synchronous  Dynamic  Random  Access  Memory）等のＲＡＭ（Random  Access  Memory）、ＲＯＭ（Read  Only  Memory）、フラッシュメモリである。機能的構成とハードウェア構成との対応関係に関し、図１に示した各機能的構成要素の内、送信ＲＦ部１５、受信ＲＦ部１１１以外の構成要素は、例えばＤＳＰ１０ａ、ＦＰＧＡ１０ｂ等の集積回路により実現される。また、送信ＲＦ部１５と受信ＲＦ部１１１とは、ＲＦ回路１０ｄにより実現される。
【００２５】
移動局２０は、例えば、携帯電話やスマートフォン等の携帯型端末によって実現される。図４は、移動局２０のハードウェア構成を示すブロック図である。図４に示す様に、移動局２０は、ハードウェア的には、ＣＰＵ（Central  Processing  Unit）２０ａと、メモリ２０ｂと、ＲＦ回路２０ｃと、表示装置２０ｄとを有する。ＲＦ回路２０ｃは、アンテナＡ３、Ａ４を有する。メモリ２０ｂは、例えば、ＳＤＲＡＭ等のＲＡＭ、ＲＯＭ、フラッシュメモリである。表示装置２０ｄは、例えば、ＬＣＤ（Liquid  Crystal  Display）、ＥＬ（Electro  Luminescence）である。機能的構成とハードウェア構成との対応関係に関し、図２に示した各機能的構成要素の内、受信ＲＦ部２１、送信ＲＦ部２９以外の構成要素は、例えばＣＰＵ２０ａ等の集積回路により実現される。また、受信ＲＦ部２１と送信ＲＦ部２９とは、ＲＦ回路２０ｃにより実現される。
【００２６】
次に、動作を説明する。
【００２７】
まず、基地局１０の動作を説明する。図５は、基地局１０の動作を説明するためのフローチャートである。Ｓ１では、基地局１０の特性評価部１１は、基地局１０が移動局２０に対して測定を指示するための制御情報を生成する。この制御情報には、移動局２０が測定すべき対象を示す情報が主に含まれる。制御信号生成部１２は、特性評価部１１から、上記制御情報の入力を受けると、変調部１３と時間多重部１４とを介して、送信ＲＦ部１５により、上記制御情報を移動局２０宛に送信する。この送信処理は、ＰＤＣＣＨを用いて実行されるが、ＥＰＤＣＣＨにおいても、同様の送信処理が実行される。すなわち、制御信号生成部１６は、特性評価部１１から、上記制御情報の入力を受けると、変調部１７と周波数多重部１８と時間多重部１４とを介して、送信ＲＦ部１５により、上記制御情報を移動局２０宛に送信する。
【００２８】
Ｓ１において送受信される制御情報には、移動局２０が該制御情報を受信した際に、何を測定し基地局１０に報告すべきかを示す情報が含まれている。基地局１０は、この情報を、上位層のシグナリングを通じて、移動局２０に事前に通知しておく。この上位層のシグナリングは、RRC  messageやRRC  signaling等の形式により、ＰＤＳＣＨの送信を通じて行われる。すなわち、測定を行うことを指示する制御情報を移動局２０が受信した際に移動局２０が測定すべき測定対象を示す情報は、ＰＤＳＣＨの中に入れられて基地局１０から移動局２０に送信される。この時、このＰＤＳＣＨ送信に関連する無線パラメータ情報を移動局２０に通知する目的で、ＰＤＣＣＨあるいはＥＰＤＣＣＨが同じＤＬサブフレーム上で送信される。測定対象となるものは、例えば、WidebandＣＱＩ、SubbandＣＱＩ、WidebandＰＭＩ（Precoding  Matrix  Indicator）、SubbandＰＭＩ、ＲＩ（Rank  Indicator）、ＬＩ（Layer  Indicator）等のＣＳＩ（Channel  State  Information)、隣接あるいは近隣基地局の特定の無線セルからの干渉信号電力、近隣基地局の無線セルからの干渉信号電力の総和、基地局１０からの所要信号電力と近隣基地局からの干渉信号電力の比などである。これらの測定対象の中の複数の種類又は一つの種類を、移動局２０が測定すべき対象として通知する。移動局２０が測定すべき対象に変更がない限り、この情報を繰り返し移動局２０に通知する必要はなく、測定対象物の種類に変更が発生した時に、新たに制御情報を移動局２０に通知する。測定対象として、１種類あるいは複数の種類を移動局２０に通知することが可能である。各測定対象にインデックスを割り振り、測定対象とインデックスの関係をテーブル化し、そのテーブルの内容を移動局２０に通知してもよい。この時、複数の測定対象物から複数の組み合わせを作り、組み合わせの内容に対してもインデックスを割り振ってもよい。このテーブルは、仕様として規定しておくのも可能であり、この場合、制御情報には、テーブルの中のインデックスの値を含めることになる。  測定対象のものが１種類だけの場合、その情報をＰＤＳＣＨではなくＰＤＣＣＨあるいはＥＰＤＣＣＨの中に間接的あるいは直接的に入れてもよい。間接的に入れる方法の一例として、事前に各測定対象にインデックスを割り振り、それらの関係をテーブルで表現しておき、インデックスの値をＰＤＣＣＨ又はＥＰＤＣＣＨの中に入れてもよい。この場合のテーブルは、仕様書の中で規定しておくか、他の種類の制御情報を通じて移動局にテーブル情報を事前に通知する。
【００２９】
特性評価部１１は、移動局２０の無線ダウンリンク特性が所定レベルよりも悪化していることを検知すると、何れの周波数領域部分の特性が悪化しているかを推定する。また、ＥＰＤＣＣＨを送信している場合、ＥＰＤＣＣＨの送信のために使用している周波数領域の特性を推定し、ＥＰＤＣＣＨ送信に適用している符号化率や送信出力等が適切な状態であるかどうかを判断する。このような推定や判断は、移動局２０から送信される無線測定結果報告の内容を元に基本的には行う。ただし、移動局に対し測定を行わせるべきかどうかの判断は、移動局から送信される無線測定報告の内容を元にする必要は必ずしもなく、あるいは、移動局から送信される無線測定結果の内容だけを元にする必要はなく、例えば、ＰＤＣＣＨあるいはＥＰＤＣＣＨのいずれかを付随させて移動局に送信されるＰＤＳＣＨに対する移動局からのＡＣＫ／ＮＡＣＫ信号の統計を元にして測定を行わせるべきかの判断を行うことも可能である。例えば、送信したＰＤＳＣＨに対し、ＡＣＫとＮＡＣＫのいずれも移動局から送信されなかった場合（あるいは、移動局から送信されたＡＣＫ／ＮＡＣＫ信号をＡＣＫ，ＮＡＣＫのいずれにも解釈できない場合）、移動局はＰＤＣＣＨあるいはＥＰＤＣＣＨの受信に失敗した可能性があるので、このような状況が発生した場合、基地局１０は移動局２０に対しＤＬ無線特性の測定を行わせるという判断を行ってもよい。特性評価部１１は、該判定の結果に基づき、上記測定を指示するための制御情報を生成した後、測定対象の周波数領域に応じて、生成された制御情報を、ＰＤＣＣＨまたはＥＰＤＣＣＨに含める。ＰＤＣＣＨ送信領域すなわちＤＬ無線周波数帯域全域に対する測定を移動局２０に行わせる場合は、ＰＤＣＣＨを用いて測定指示を移動局２０に対して行い、移動局２０向けのＥＰＤＣＣＨを送信する領域に対する測定を移動局２０に行わせる場合は、ＥＰＤＣＣＨを用いて測定指示を行う。これらのＰＤＣＣＨやＥＰＤＣＣＨは、Ｓ１で送信される制御情報で示される測定対象物を測定することを指示するトリガー的な目的で移動局２０に送信される。Ｓ１で送信される制御情報の中で測定対象物とインデックスの関係が示されている場合、これらのＰＤＣＣＨやＥＰＤＣＣＨにはインデックス番号が入れられる。このインデックスにより、移動局２０は、Ｓ１で通知された測定対象物の中のどれを測定し報告すればよいかを把握する。現在のLTE仕様では、PDCCHやEPDCCHの中に入れる制御情報のセットにはPDCCHやEPDCCHの使用目的に応じて複数の種類があり、その制御情報のセットをDCI  formatとよぶ  (DCI：Downlink  Control  Information)。基地局から移動局に対し測定の指示を行うために使用されるPDCCHあるいはEPDCCHには、DCI  format  0やDCI  format  4などが使用される。DCI  format  0や4は、基地局が移動局にアップリンク無線リソースを割り当てるために使用されるものであり、DCI  format  0または4に基づきPDCCHあるいはEPDCCHを生成し、これを用いて基地局が移動局に測定の指示を行うことにより、測定の指示と測定結果報告用のアップリンク無線リソースの割り当てを同時に行うことが可能となる。然るに、本発明においては、DCI  format  0あるいは4の中のCSI  request  fieldに前述のインデックス番号を入れてもよい。CSI  request  fieldの値が”0”又は”00”の時は、移動局は測定報告を行わない。CSI  request  fieldの中に、Ｓ１で通知されたインデックス番号が含まれていたら、Ｓ１で示された対応する測定対象物に対する測定とその結果の報告を行う。あるいは、これらのformatの中の別のfieldあるいは新たに仕様に追加されるfieldにインデックス番号を入れてもよい。更には、DCI  format0あるいは4以外の既存のDCI  formatあるいは、今後新たに導入されるDCI  formatの中のfieldを利用してもよい。
【００３０】
ＰＤＣＣＨまたはＥＰＤＣＣＨは、変調部１３または変調部１７により変調される。該変調の方式は、例えば、ＱＰＳＫ（Quadrature  Phase  Shift  Keying）、１６ＱＡＭ（Quadrature  Amplitude  Modulation）、６４ＱＡＭである。変調後のＰＤＣＣＨ、ＥＰＤＣＣＨは、時間多重部１４と周波数多重部１８により、移動局２０あるいは移動局２０以外の移動局へのデータ送信に使用されるＰＤＳＣＨとの間で、時間多重または周波数多重される。１つのＤＬサブフレーム上で、複数の移動局向けの複数のＰＤＣＣＨとＥＰＤＣＣＨを送信できるだけでなく、複数の移動局向けの複数のＰＤＳＣＨを送信することが可能である。また、多重化され直交変調等が施されたた信号に対し、ＩＦＦＴ（Inversed  Fast  Fourier  Transform）処理を行い、Cyclic  prefix  (あるいはGuard  interval)を、IFFT出力信号に対し時間領域で付加することで、ＯＦＤＭ（Orthogonal  Frequency  Division  Multiplexing）信号を生成する。送信ＲＦ部１５は、該ＯＦＤＭ信号を、アナログ信号に変換した後、ＲＦ周波数帯域まで周波数変換し、所定のパワーレベルまで増幅する。増幅されたＯＦＤＭ信号（Ｌ１制御信号）は、送信アンテナＡ１から移動局２０宛に送信される。
【００３１】
Ｓ２では、Ｓ１と同様に、基地局１０の送信ＲＦ部１５は、ダウンリンクサブフレームの指示情報を、移動局２０宛に送信する。この指示情報は、移動局２０が、何れのダウンリンクサブフレームにおいて、各移動局個別に送信されるＬ１制御情報の受信の目的で、ＰＤＣＣＨではなくＥＰＤＣＣＨをモニタリングすべきかを、基地局１０が移動局２０に対して指示する情報である。現在のＬＴＥ仕様では、基地局配下の全端末を対象に送信されるＰＤＣＣＨは基本的にはどのＤＬサブフレームで送信してもよく、移動局は基本的には全てのサブフレームでそのようなＰＤＣＣＨが送信されているかどうかを確認する。一方、各移動局個別にＬ１制御信号を送信する時は、ＰＤＣＣＨあるいはＥＰＤＣＣＨのいずれかを用い、各サブフレームにおいてどちらを使用するかを事前に決めておくことが可能である。事前に決めない場合は、いずれも使用してよいことになる。この情報は、一度移動局２０に送信された後は変更がない限り、繰り返して送信されない。
【００３２】
Ｓ３では、基地局１０の特性評価部１１は、移動局２０宛の無線信号に適用している無線パラメータが適切なものであるか否かの判定を行う。該判定の結果、上記無線パラメータが適切である場合（Ｓ３；Ｙｅｓ）には、特性評価部１１は、該パラメータの適否を継続して監視するが、上記無線パラメータが適切でない場合（Ｓ３；Ｎｏ）には、ＥＰＤＣＣＨに適用中の無線パラメータの適否を判定する（Ｓ４）。
【００３３】
Ｓ４における判定の結果、ＥＰＤＣＣＨに適用中の無線パラメータが適切である場合（Ｓ４；Ｙｅｓ）、特性評価部１１は、ＥＰＤＣＣＨ以外の無線信号に適用している無線パラメータの適否を判定する（Ｓ５）。該判定の結果、上記無線パラメータが適切である場合（Ｓ５；Ｙｅｓ）には、Ｓ３に戻り、基地局１０は、Ｓ３以降の処理を再び実行する。
【００３４】
Ｓ５における判定の結果、ＥＰＤＣＣＨ以外の無線信号に適用されている無線パラメータが適切でない場合（Ｓ５；Ｎｏ）、特性評価部１１は、ＰＤＣＣＨにおける上記測定を指示するための制御情報を生成する（Ｓ６）。Ｓ７では、特性評価部１１は、Ｓ６で生成された制御情報を、現時点におけるダウンリンクサブフレームを用いて、ＰＤＣＣＨ送信することができるか否かの判定を行う。該判定の結果、ＰＤＣＣＨによる送信が可能である場合（Ｓ７；Ｙｅｓ）には、基地局１０の送信ＲＦ部１５は、Ｓ６で生成された制御情報を、ＰＤＣＣＨを介して送信する（Ｓ８）。Ｓ８の処理終了後は、上述したＳ３以降の処理が再び実行される。
【００３５】
上記Ｓ４における判定の結果、ＥＰＤＣＣＨに適用中の無線パラメータが適切でない場合（Ｓ４；Ｎｏ）、基地局１０は、ＥＰＤＣＣＨに関し、上述したＳ６〜Ｓ８と同様の処理を実行する。すなわち、特性評価部１１は、ＥＰＤＣＣＨにおける上記測定を指示するための制御情報を生成する（Ｓ９）。Ｓ１０では、特性評価部１１は、Ｓ９で生成された制御情報を、現時点におけるダウンリンクサブフレームを用いて、ＥＰＤＣＣＨ送信することができるか否かの判定を行う。該判定の結果、ＥＰＤＣＣＨによる送信が可能である場合（Ｓ１０；Ｙｅｓ）には、基地局１０の送信ＲＦ部１５は、Ｓ９で生成された制御情報を、ＥＰＤＣＣＨを介して送信する（Ｓ１１）。Ｓ１１の処理終了後は、上述したＳ５以降の処理が再び実行される。
【００３６】
続いて、移動局２０の動作を説明する。図６は、移動局２０の動作を説明するためのフローチャートである。まずＴ１では、移動局２０の受信ＲＦ部２１は、図５のＳ１において基地局１０から送信された上記制御情報を受信する。Ｔ１で受信する制御情報には、基地局１０から測定指示の通知を受けた際に移動局２０が測定を行うべきものに関する情報が含まれる。この情報は、基本的にはＰＤＳＣＨの中に入れて送信される。したがって、移動局２０は受信し復号したＰＤＳＣＨの中にこのような情報が含まれているかを調べる。しかしながら、前述したように、移動局が測定すべきものとして１種類だけしか指定されないような場合、ＰＤＣＣＨやＥＰＤＣＣＨをこの目的で使用してもよい。Ｔ２では、Ｔ１と同様に、図５のＳ２において基地局１０から送信された上記指示情報を受信する。
【００３７】
Ｔ３では、移動局２０の受信ＲＦ部２１は、現時点のダウンリンクサブフレームでは、ＰＤＣＣＨとＥＰＤＣＣＨとの内、何れの制御チャネルをモニタすべきかの判定を行う。何れのダウンリンクサブフレームによりＥＰＤＣＣＨが送信される可能性があるかを示す情報は、Ｔ２において、基地局１０から移動局２０に対して事前に通知されているため、移動局２０は、上記情報に基づき、上述の判定が可能である。該情報は、例えば、ＦＤＤタイプのＬＴＥシステムでは、４０ｍｓ単位で定義され、移動局２０に送信される。この定義された情報の内容は、時間領域において繰り返し適用され、また、内容の更新が発生しない限り、移動局にはこの情報を繰り返し送信する必要はない。この情報は、ＬＴＥ仕様書のＴＳ３６．３３１の中で示されるepdcch-SubframePatternConfigの中で定義されるものである。
【００３８】
Ｔ３において、モニタ対象のチャネルがＰＤＣＣＨと判定された場合、移動局２０の受信ＲＦ部２１は、上記各ダウンリンクサブフレーム内における自移動局２０宛のＰＤＣＣＨの存否を確認する（Ｔ４）。該確認の結果、自移動局２０宛のＰＤＣＣＨが有る場合（Ｔ５；Ｙｅｓ）、復調復号部２２は、該ＰＤＣＣＨに対する復号処理を実行し、該ＰＤＣＣＨから制御情報を取得する（Ｔ６）。
【００３９】
Ｔ７では、移動局２０の多重信号分離部２３は、Ｔ６において取得された制御情報の中に、上記測定を指示するための制御情報が含まれるか否かの判定を行う。該判定の結果、上記制御情報が含まれる場合（Ｔ７；Ｙｅｓ）には、多重信号分離部２３は、測定部２４に対し、上記制御情報を出力する。上記制御情報の入力を受けた測定部２４は、Ｔ１において受信した該制御情報の示す指示に従い、ＰＤＣＣＨ送信領域に対するWidebandＣＱＩ等の測定結果を出力する（Ｔ８）。Ｔ１において複数の測定対象物が指定され、例えば、それらが、インデックス等に対応づけられている場合、受信したＰＤＣＣＨにはそのインデクスの値が入れられる。測定部２４は、移動局２０がいかなるＤＬサブフレームで測定指示を通知する目的のＬ１制御情報を受信しても即対応できるようにするために、各ＤＬサブフレームに対する無線測定を連続して行う。測定に因る電力消費量をおさえるために、測定指示を通知するＬ１制御情報の送信が行われないＤＬサブフレームを事前に移動局に通知しておくことも可能である。この場合、測定部２４はＤＬ無線サブフレームに対する測定を連続的ではなく断続的に行うことが可能となる。測定結果生成部２５は、上記測定の結果を入力し、該測定結果を含む信号を生成する。
【００４０】
Ｔ９では、移動局２０の送信ＲＦ部２９は、上記測定を指示するための制御情報の示すアップリンク無線リソース（ＰＵＳＣＨ等）を用いて、上記測定結果を、基地局１０宛に送信する。該測定結果は、データ信号生成部２６によりＰＵＳＣＨに入れられた後、変調部２７により変調される。時間多重部２８は、上記測定結果を含む変調後のデータ信号を、参照信号と時間多重した後、多重化されたデータ信号に対し、ＦＦＴとＩＦＦＴ処理を実行することで、ＤＦＴ−Ｓ−ＯＦＤＭ信号（あるいはＳＣ−ＦＤＭＡ信号）を生成する。送信ＲＦ部２９は、該信号を、アナログ信号に変換した後、ＲＦ周波数帯域まで周波数変換し、所定のパワーレベルまで増幅する。増幅された該信号は、送信アンテナＡ４から基地局１０宛に送信される。
【００４１】
なお、上記Ｔ４における確認の結果、自移動局２０宛のＰＤＣＣＨが無い場合（Ｔ５；Ｎｏ）には、上記Ｔ３に戻り、以降の処理が再び実行される。また、上記Ｔ７における判定の結果、上記制御情報が含まれていない場合（Ｔ７；Ｎｏ）には、移動局２０は、復号処理により得られた他の制御情報（上記測定を指示するための制御情報以外の制御情報）の指示する処理を実行する（Ｔ１０）。実行後は、上記Ｔ３に戻り、以降の処理が再び実行される。
【００４２】
上述したＴ４〜Ｔ１０の一連の処理は、ＥＰＤＣＣＨに関しても、ＰＤＣＣＨと同様に実行される。すなわち、Ｔ３において、モニタ対象のチャネルがＥＰＤＣＣＨと判定された場合、移動局２０の受信ＲＦ部２１は、上記各ダウンリンクサブフレーム内における自移動局２０宛のＥＰＤＣＣＨの存否を確認する（Ｔ１１）。該確認の結果、自移動局２０宛のＥＰＤＣＣＨが有る場合（Ｔ１２；Ｙｅｓ）、復調復号部２２は、該ＥＰＤＣＣＨに対する復号処理を実行し、該ＥＰＤＣＣＨから制御情報を取得する（Ｔ１３）。
【００４３】
Ｔ１４では、移動局２０の多重信号分離部２３は、Ｔ１３において取得された制御情報の中に、上記測定を指示するための制御情報が含まれるか否かの判定を行う。該判定の結果、上記制御情報が含まれる場合（Ｔ１４；Ｙｅｓ）には、多重信号分離部２３は、測定部２４に対し、上記制御情報を出力する。上記制御情報の入力を受けた測定部２４は、該制御情報の示す指示に従い、ＥＰＤＣＣＨ送信領域に対するWidebandＣＱＩ等の測定結果を出力する（Ｔ１５）。前述したように、移動局２０の測定部２４はＤＬ無線サブフレームに対する測定を連続して行い、測定指示があった際に即対応できるようにする。測定結果生成部２５は、上記測定の結果を入力し、該測定結果を含む信号を生成する。
【００４４】
Ｔ１６では、移動局２０の送信ＲＦ部２９は、上記測定を指示するための制御情報の示すアップリンク無線リソースを用いて、上記測定結果を、基地局１０宛に送信する。使用されるアップリンク無線リソースとしてＰＵＳＣＨが使用される。ただし、ＰＵＣＣＨを使用してもよい。ＰＵＳＣＨとＰＵＣＣＨのどちらを使用するかは、事前に例えばＴ１にて移動局に通知されるか、測定を指示するための制御情報の中で指定することが可能である。
【００４５】
なお、上記Ｔ１１における確認の結果、自移動局２０宛のＥＰＤＣＣＨが無い場合（Ｔ１２；Ｎｏ）には、上記Ｔ３に戻り、以降の処理が再び実行される。また、上記Ｔ１４における判定の結果、上記制御情報が含まれていない場合（Ｔ１４；Ｎｏ）には、移動局２０は、復号処理により得られた他の制御情報（上記測定を指示するための制御情報以外の制御情報）の指示する処理を実行する（Ｔ１７）。実行後は、上記Ｔ３に戻り、以降の処理が再び実行される。
【００４６】
次に、図７を参照して、平均ＣＱＩ測定結果の報告方法について、より詳細に説明する。図７は、平均ＣＱＩの測定対象となるダウンリンク無線チャネルの構成例を示す図である。図７に示す様に、１サブフレームにおいて、ＰＤＣＣＨ送信領域Ｒ１は、ダウンリンク無線チャネル帯域幅Ｗ（例えば、２０ＭＨｚ）の全帯域に渡って形成されるのに対し、ＥＰＤＣＣＨ送信領域Ｒ２は、一部の周波数帯域（例えば、５ＭＨｚ）に形成されるのみである。ＰＤＣＣＨ送信領域Ｒ１には、通常、複数のＰＤＣＣＨが配置される。これらのＰＤＣＣＨは、全移動局が受信するものと、特定の移動局が受信するものに分けられる。ＥＰＤＣＣＨ送信領域Ｒ２は移動局ごとに配置位置を設定することが可能である。移動局間でＥＰＤＣＣＨ送信領域が完全に又は部分的に重なる状況も発生しうる。各ＥＰＤＣＣＨには移動局固有の認識情報に基づく信号処理が施される。全移動局に対し共通となるＥＰＤＣＣＨ送信領域を配置されることが、今後策定される仕様では可能となる可能性がある。
【００４７】
移動局２０から基地局１０へのaperiodic  CSI  reportingでは、ＰＤＣＣＨ送信領域Ｒ１を用いてＣＳＩ報告を指示される従来のCSI  reportingに加え、ＥＰＤＣＣＨ送信領域Ｒ２を用いて指示されるCSI  reportingが、新たに導入される。ＰＤＣＣＨ送信領域Ｒ１を介して報告を指示されたWideband  ＣＱＩは、図７に示すダウンリンク無線チャネル帯域幅Ｗの全域に対して行われたＣＱＩ測定の結果の平均値である。これに対し、ＥＰＤＣＣＨ送信領域Ｒ２を介して報告を指示されたWideband  ＣＱＩは、移動局２０に割り当てられたＥＰＤＣＣＨ送信領域Ｒ２のみに対して行われたＣＱＩ測定の結果の平均値である。これらの送信領域Ｒ１あるいはＲ２に対し、例えば、wideband  CQIに加えwideband  PMIも測定し基地局に報告することも可能である。何を測定し報告するかはＴ１で受信する制御情報の中で示される。Ｔ１において移動局２０が基地局１０から受信する制御情報は、3GPP  LTE仕様書の中のTS36.331の中で規定されるaperiodic  CSI  reportのconfiguration情報、CQI-ReportConfigの一部として定義されてもよい。
【００４８】
以上説明した様に、移動局２０は、受信ＲＦ部２１と多重信号分離部２３と測定部２４と送信ＲＦ部２９とを有する。受信ＲＦ部２１は、基地局１０と移動局２０との間の無線チャネル特性（例えば、WidebandＣＱＩ）の測定を移動局２０に指示するための制御情報を、基地局１０から受信する。多重信号分離部２３は、基地局１０から移動局２０に向かう無線ダウンリンクにおいて、受信ＲＦ部２１により受信された制御情報が含まれるチャネル領域に応じて、上記無線チャネル特性の測定対象となるチャネル領域を決定する。測定部２４は、多重信号分離部２３により決定されたチャネル領域（例えば、ＰＤＣＣＨ送信領域Ｒ１、ＥＰＤＣＣＨ送信領域Ｒ２）を対象として、上記無線チャネル特性の測定を行う。送信ＲＦ部２９は、測定部２４による測定結果を、基地局１０に送信（報告）する。
【００４９】
移動局２０において、多重信号分離部２３は、上記制御情報が、上記チャネル領域の内、第１のチャネル領域（例えば、ＰＤＣＣＨ送信領域Ｒ１）に含まれる場合には、該第１のチャネル領域を、上記無線チャネル特性の測定対象となるチャネル領域に決定するものとしてもよい。また、多重信号分離部２３は、上記制御情報が、上記第１のチャネル領域よりも帯域幅の狭い周波数領域である第２のチャネル領域（例えば、ＥＰＤＣＣＨ送信領域Ｒ２）に含まれる場合には、該第２のチャネル領域を、上記無線チャネル特性の測定対象となるチャネル領域に決定するものとしてもよい。
【００５０】
上記第１のチャネル領域は、例えば、周波数方向の全帯域幅(DL  system  bandwidth,  DL  bandwidthともよばれる)の領域であり、上記第２のチャネル領域は、例えば、移動局２０に割り当てられた移動局２０向けＥＰＤＣＣＨ送信可能領域(EPDCCH-PRB-setsなどとよばれる)の周波数帯域幅の領域である。最新のLTE仕様では、各移動局ごとに、ＥＰＤＣＣＨ送信領域を割り当てるかどうかの設定が可能であり、各移動局には最大２個のＥＰＤＣＣＨ送信可能領域を割り当てることが可能である。この送信可能領域の位置等の情報は、３ＧＰＰ  ＬＴＥ仕様書のＴＳ３６．３３１で規定される上位層のシグナリング(RRC  message等)を通じて移動局に通知される。また、上記無線チャネル特性は、例えば、多重信号分離部２３により決定されたチャネル領域を対象として測定されるＣＱＩの平均値である。
【００５１】
上述した様に、基地局１０は、無線測定結果の送信を移動局２０に指示するためのＬ１制御信号が、ＰＤＣＣＨ送信領域Ｒ１、ＥＰＤＣＣＨ送信領域Ｒ２の内、何れの領域（図７参照）から送信されたかを利用して、基地局１０に報告すべき測定結果の種類を間接的に通知する。移動局２０は、基地局１０からの通知に従い、ＰＤＣＣＨ送信領域Ｒ１から送信された場合には、ＰＤＣＣＨ送信領域Ｒ１を対象として測定されたＣＱＩの平均値を基地局１０に報告する。一方、移動局２０は、ＥＰＤＣＣＨ送信領域Ｒ２から送信された場合には、移動局２０を割当先とするＥＰＤＣＣＨ送信領域Ｒ２を対象として測定されたＣＱＩの平均値を基地局１０に報告する。具体的に何を測定し報告するかは前述のＳ１，Ｔ１で基地局から移動局に向けて送信される制御情報の中で示されることを基本とし、ＣＱＩではなくＰＭＩを測定し報告する場合もある。これにより、基地局１０が報告を求める測定対象がどの周波数領域に対して行うか等を指定するための新たな制御情報の導入が不要となる。新たな制御情報の導入は、無線リソースの消費につながるため、基地局１０及び移動局２０が、上述の手法を採ることで、無線リソースの消費量を増加させることなく、ＥＰＤＣＣＨ送信時における無線伝送特性を向上させることができる。
【００５２】
なお、上記実施例では、上記測定を指示するための制御情報を送信するための物理チャネルとして、ＰＤＣＣＨ及びＥＰＤＣＣＨを例示した。しかしながら、これらのチャネルは、今後新たに導入されるLayer  1  control  channel（又はPhysical  channel）を用いてもよい。また、実施例において、測定指示を目的に送信されるPDCCHあるいはEPDCCHを受信した際に何を測定報告するかの種類等を示す情報はＰＤＳＣＨを用いて基地局から移動局に通知されると記したが、測定対象の種類が例えば1種類しか事前に設定されない場合は、測定指示の目的で送信されるもの以外のPDCCHあるいはEPDCCHを利用してもよい。更には、PDSCHではなく、今後新たに導入されるLayer  data  channel（又はPhysical  data  channel）を使用してもよい。
【００５３】
また、上記実施例では、基地局１０が移動局２０に対して報告を求めるチャネル特性を示す指標として、ＣＱＩ、ＰＭＩ、ＲＩ、ＬＩの各値を例示した。しかしながら、移動局２０が基地局１０からの指示に従って報告する値は、これらに限らず、電波強度を表すＲＳＳＩ（Received  Signal  Strength  Indication）値、あるいは、電波状態を表すＳＩＲ（Signal  to  Interference  Ratio）値、ＳＩＮＲ（Signal  to  Interference  and  Noise  Ratio）値等であってもよい。
【符号の説明】
【００５４】
１０  基地局
１０ａ  ＤＳＰ（Digital  Signal  Processor）
１０ｂ  ＦＰＧＡ（Field  Programmable  Gate  Array）
１０ｃ  メモリ
１０ｄ  ＲＦ（Radio  Frequency）回路
１０ｅ  ネットワークＩＦ（Inter  Face）部
１１  特性評価部
１２  制御信号生成部
１３  ＰＤＣＣＨ（Physical  Downlink  Control  CHannel）変調部
１４  時間多重部
１５  送信ＲＦ（Radio  Frequency）部
１６  制御信号生成部
１７  ＥＰＤＣＣＨ（Enhanced  Physical  Downlink  Control  CHannel）変調部
１８  周波数多重部
１９  データ信号生成部
２０  移動局
２０ａ  ＣＰＵ（Central  Processing  Unit）
２０ｂ  メモリ
２０ｃ  ＲＦ回路
２０ｄ  表示装置
２１  受信ＲＦ部
２２  復調復号部
２３  多重信号分離部
２４  測定部
２５  測定結果生成部
２６  データ信号生成部
２７  ＰＵＳＣＨ（Physical  Uplink  Shared  CHannel）変調部
２８  時間多重部
２９  送信ＲＦ部
１１０  ＰＤＳＣＨ（Physical  Downlink  Shared  CHannel）変調部
１１１  受信ＲＦ部
１１２  復調復号部
１１３  多重信号分離部
Ａ１  基地局用送信アンテナ
Ａ２  基地局用受信アンテナ
Ａ３  移動局用受信アンテナ
Ａ４  移動局用送信アンテナ
Ｒ１  ＰＤＣＣＨ送信領域
Ｒ２  ＥＰＤＣＣＨ送信領域
Ｗ  ダウンリンク無線チャネル帯域幅
【図１】
2014188522.tif 000003
【図２】
2014188522.tif 000004
【図３】
2014188522.tif 000005
【図４】
2014188522.tif 000006
【図５】
2014188522.tif 000007
【図６】
2014188522.tif 000008
【図７】
2014188522.tif 000009
【国際調査報告】
2014188522.tif 000010
2014188522.tif 000011
2014188522.tif 000012
2014188522.tif 000013